(57)【特許請求の範囲】
【請求項１】
複数の吹出口と、各前記吹出口から吹き出される空気流の風向を調整する風向板とを有し、各前記風向板の開閉状態がリモコンから設定される空気調和装置の室内機であって、
前記室内機の全ての前記風向板を閉状態にした後、
前記リモコンから一の前記風向板の開閉状態を設定させ、開閉状態の設定指令を取得すると、取得した開閉状態の位置に一の前記風向板を制御し、設定完了後に一の前記風向板を設定された開閉状態に維持するよう制御し、かつ、一の前記風向板の設定完了後に前記リモコンから一の前記風向板以外の他の前記風向板の開閉状態を設定させる制御手段を具備する空気調和装置の室内機。
【請求項２】
全ての前記風向板を閉状態にする前の各前記風向板の開閉状態を記憶する記憶手段を具備し、
前記リモコンから一の前記風向板の開閉状態を設定する設定指令を取得せず、一の前記風向板の開閉状態の設定を確定する決定指令を取得した場合には、前記記憶手段から当該風向板の開閉状態を読み出し、読み出された開閉状態によって一の前記風向板の開閉状態を維持しつつ、前記リモコンから他の前記風向板の開閉状態を設定する請求項１に記載の空気調和装置の室内機。
【請求項３】
請求項１または請求項２に記載の室内機と、
前記室内機の各風向板の開閉状態を設定するリモコンと、
前記室内機に対応する室外機と
を具備する空気調和装置。
【請求項４】
複数の吹出口と、各前記吹出口から吹き出される空気流の風向を調整する風向板とを有し、各前記風向板の開閉状態がリモコンから設定される空気調和装置の室内機の制御方法であって、
前記室内機の全ての前記風向板を閉状態にした後、
前記リモコンから一の前記風向板の開閉状態を設定し、開閉状態の設定指令を取得すると、取得した開閉状態の位置に一の前記風向板を制御し、設定完了後に一の前記風向板を設定された開閉状態に維持するよう制御し、かつ、一の前記風向板の設定完了後に前記リモコンから一の前記風向板以外の他の前記風向板の開閉状態を設定する空気調和装置の室内機の制御方法。
【請求項５】
複数の吹出口と、各前記吹出口から吹き出される空気流の風向を調整する風向板とを有し、各前記風向板の開閉状態がリモコンから設定される空気調和装置の室内機の制御プログラムであって、
前記室内機の全ての前記風向板を閉状態にした後、
前記リモコンから一の前記風向板の開閉状態を設定し、開閉状態の設定指令を取得すると、取得した開閉状態の位置に一の前記風向板を制御し、設定完了後に一の前記風向板を設定された開閉状態に維持するよう制御し、かつ、一の前記風向板の設定完了後に前記リモコンから一の前記風向板以外の他の前記風向板の開閉状態を設定する処理をコンピュータに実行させるための空気調和装置の室内機の制御プログラム。
【発明の詳細な説明】
【技術分野】
【０００１】
本発明は、室内機及びそれを備えた空気調和装置、室内機の制御方法並びに制御プログラムに関するものである。
【背景技術】
【０００２】
例えば、天井埋込型空気調和装置の室内機の吹出口には、吹き出される冷風または温風の吹き出し方向を調整する風向板が設けられており、風向板の向きを変えることにより、吹出口から送出される冷風または温風の風向を調整している。
複数の吹出口を備える室内機において、吹出口に対応するそれぞれの風向板の風向の調整をリモコンで行う場合に、リモコン上で設定中の風向板と、複数の風向板のうち実際の室内機の風向板がいずれであるかとの対応付けを判断するための方法が提案されている。
【０００３】
下記特許文献１では、リモコンで選択された風向板を仮動作としてスイングさせ、リモコンで選択されていない他の風向板を全閉状態にさせ、設定する風向板を識別させる技術が開示されている。
下記特許文献２では、複数の室内機を操作するリモコンにおいて、特定の風向板を実際はスイングが設定されていないがスイングさせる仮スイングにさせ、特定の風向板以外の他の風向板を実際は下吹きが設定されていないが下吹きの状態にさせる仮下吹きにさせ、設定しようとする室内機と風向板の位置を確認させる技術が開示されている。
【先行技術文献】
【特許文献】
【０００４】
【特許文献１】特開２０１３−１１３４６９号公報
【特許文献２】特開２０１２−１５４５９３号公報
【発明の概要】
【発明が解決しようとする課題】
【０００５】
しかしながら、上述した特許文献１の方法では、設定する室内機に対して風向設定操作以前の状態から風量を１／４に減少させ、かつ、設定後の風向板を全閉にして次の風向板を設定するので、複数の風向板がある室内機の場合には、複数の風向板の位置を全て設定した後の室内機全体としての実際の空調状態を正しく把握できないという問題がある。
また、上記特許文献２についても、設定しようとする風向板を確認するために仮スイングさせたり仮下吹きさせたりしているだけであり、実際の空調状態を把握できないという問題は解決できない。
【０００６】
本発明は、上記問題を解決するためになされたもので、風向板の風向設定を簡便に行い、かつ、所望の空調状態を得ることができる室内機及びそれを備えた空気調和装置、室内機の制御方法並びに制御プログラムを提供することを目的とする。
【課題を解決するための手段】
【０００７】
上記課題を解決するために、本発明は以下の手段を採用する。
本発明は、複数の吹出口と、各前記吹出口から吹き出される空気流の風向を調整する風向板とを有し、各前記風向板の開閉状態がリモコンから設定される空気調和装置の室内機であって、前記室内機の全ての前記風向板を閉状態にした後、前記リモコンから一の前記風向板の開閉状態を設定させ、開閉状態の設定指令を取得すると、取得した開閉状態の位置に一の前記風向板を制御し、設定完了後に一の前記風向板を設定された開閉状態に維持するよう制御し、かつ、一の前記風向板の設定完了後に前記リモコンから一の前記風向板以外の他の前記風向板の開閉状態を設定させる制御手段を具備する空気調和装置の室内機を提供する。
【０００８】
本発明の構成によれば、室内機の空気流が吹き出される吹出口にそれぞれ設けられる風向板の全てが閉状態にされてから、一の風向板の開閉状態が設定され、設定完了後に一の風向板の開閉状態が維持されたまま、一の風向板以外の他の風向板の開閉状態が設定される。
このように、調整が完了した風向板は開閉状態が維持されたまま、順に次の風向板の開閉状態の調整がなされるので、室内機の空調対象領域の空調状態が、実際の空調状態として得られ、所望の空調状態となるよう確認しながら風向板の開閉状態の調整、即ち、風向板に対応する空気流の吹出口の風向が調整できる。また、調整が完了した風向板は開状態を維持したまま次の風向板の調整をするので、室内機に設けられる複数の風向板が全て開状態となっていることをリモコン操作者が識別（目視）することにより、全ての風向板の開閉状態の調整が完了していることを簡便に把握することができる。
【０００９】
上記空気調和装置の室内機は、全ての前記風向板を閉状態にする前の各前記風向板の開閉状態を記憶する記憶手段を具備し、前記リモコンから一の前記風向板の開閉状態を設定する設定指令を取得せず、一の前記風向板の開閉状態の設定を確定する決定指令を取得した場合には、前記記憶手段から当該風向板の開閉状態を読み出し、読み出された開閉状態によって一の前記風向板の開閉状態を維持しつつ、前記リモコンから他の前記風向板の開閉状態を設定してもよい。
【００１０】
リモコンから風向板の開閉状態を都度設定しない場合には、決定指令をリモコンから取得することによって記憶手段に記憶されている開閉状態を読み出して、読み出された開閉状態によって風向板を制御することにより、速やかに風向板の設定を完了することができる。
【００１１】
本発明は、上記室内機と、前記室内機の各前記風向板の開閉状態を設定するリモコンと、前記室内機に対応する室外機とを具備する空気調和装置を提供する。
【００１２】
本発明は、複数の吹出口と、各前記吹出口から吹き出される空気流の風向を調整する風向板とを有し、各前記風向板の開閉状態がリモコンから設定される空気調和装置の室内機の制御方法であって、前記室内機の全ての前記風向板を閉状態にした後、前記リモコンから一の前記風向板の開閉状態を設定し、開閉状態の設定指令を取得すると、取得した開閉状態の位置に一の前記風向板を制御し、設定完了後に一の前記風向板を設定された開閉状態に維持するよう制御し、かつ、一の前記風向板の設定完了後に前記リモコンから一の前記風向板以外の他の前記風向板の開閉状態を設定する空気調和装置の室内機の制御方法を提供する。
【００１３】
本発明は、複数の吹出口と、各前記吹出口から吹き出される空気流の風向を調整する風向板とを有し、各前記風向板の開閉状態がリモコンから設定される空気調和装置の室内機の制御プログラムであって、前記室内機の全ての前記風向板を閉状態にした後、前記リモコンから一の前記風向板の開閉状態を設定し、開閉状態の設定指令を取得すると、取得した開閉状態の位置に一の前記風向板を制御し、設定完了後に一の前記風向板を設定された開閉状態に維持するよう制御し、かつ、一の前記風向板の設定完了後に前記リモコンから一の前記風向板以外の他の前記風向板の開閉状態を設定する処理をコンピュータに実行させるための空気調和装置の室内機の制御プログラムを提供する。
【発明の効果】
【００１４】
本発明は、風向板の風向設定を簡便に行い、かつ、所望の空調状態を得ることができるという効果を奏する。
【図面の簡単な説明】
【００１５】
【図１】本発明に係る空気調和装置の概略構成図である。
【図２】本発明に係る空気調和装置の制御装置の機能ブロック図である。
【図３】本発明に係る空気調和装置のリモコンの画面例を示した図であり、（ａ）通常表示、（ｂ）風向切換画面の一例を示している。
【図４】リモコンのルーバ毎風向設定画面の一例である。
【図５】リモコンのルーバ毎風向設定画面の他の例であり、（ａ）第２の風向調整ルーバの設定画面例であり、（ｂ）第４の風向調整ルーバの設定画面例である。
【図６】リモコンのルーバ毎風向設定画面の他の例であり、（ａ）全ての風向調整ルーバの設定が完了したか否かの確認を促す画面例であり、（ｂ）通常表示の画面例である。
【図７】天井パネルの第１の風向調整ルーバを開状態に設定している図の例である。
【図８】天井パネルの第１の風向調整ルーバの開閉状態を維持しつつ、第２の風向調整ルーバを開状態に設定している図の例である。
【図９】天井パネルの第１から第３の風向調整ルーバの開閉状態を維持しつつ、第４の風向調整ルーバを開状態に設定している図の例である。
【図１０】第１から第４の風向調整ルーバの開閉状態が確定されたときの天井パネルの様子を示す図の例である。
【図１１】天井パネルの全ての風向調整ルーバが全閉状態とされた図の例である。
【図１２】本発明に係る空気調和装置の動作フローである。
【図１３】図１２に示す空気調和装置の動作フローの続きである。
【発明を実施するための形態】
【００１６】
以下に、本発明に係る室内機及びそれを備えた空気調和装置、室内機の制御方法並びに制御プログラムの実施形態について、図面を参照して説明する。
【００１７】
以下、本発明の一実施形態について、図１から図１３を用いて説明する。
図１には、本発明の一実施形態に係る空気調和装置の概略構成図が示されている。
空気調和装置１は、図１に示されるように、室内の天井等に設置される室内機（以下「室内機ユニット」ともいう）２と、屋外の適所に設置され、室内機２と液管およびガス管からなる２本の冷媒配管４および通信線５とを介して接続される室外機３とから構成されている。なお、ここでは、１台の室外機３に対して室内機２が１台接続されている空気調和装置１について説明するが、これに限定されず、室内機２が複数台並列に接続されるマルチタイプの空気調和装置としてもよい。
【００１８】
室外機３には、図示省略の冷媒圧縮機、四方切換弁や室外側電子膨張弁、室外側熱交換器、ファンモータを含む室外側ファン、室外コントローラ等の機器が配設されている。室外機３は、室内機２内に設けられる後述の室内側熱交換器や室内側電子膨張弁等と共に冷凍サイクルを構成し、室内機２に供給する冷媒の調整機能を担うものである。
【００１９】
また、室内機２は、図１に示されるように、天井内に埋込み設置されるユニット本体１０と、ユニット本体１０の下部に装着される天井パネル１１とを備えている。ユニット本体１０内には、図示省略の室内ファン、室内熱交換器、室内側電子膨張弁、室内ファンに吸込空気を導くベルマウス、ドレンパン等が配設されている。また、ユニット本体１０の下面を覆うように設置される天井パネル１１の中央部には、室内空気を吸込むための吸込みグリル１２が設置されている。
【００２０】
吸込みグリル１２の周囲４方向に空気吹出し口１４ａ，１４ｂ，１４ｃ，１４ｄが設けられ、空気吹出し口１４ａ，１４ｂ，１４ｃ，１４ｄのそれぞれから吹き出される空気流（空調風）の風向をそれぞれ調整する風向調整ルーバ（風向板）１３ａ，１３ｂ，１３ｃ，１３ｄが設けられている。以下特に明記しない場合には、空気吹出し口を空気吹出し口１４、風向調整ルーバは風向調整ルーバ１３と示すこともある。
風向調整ルーバ１３は、回動させる角度を変更することにより開閉状態が調整され、風向調整ルーバ１３の開閉状態の調整に伴って空気吹出し口１４から吹き出される空気流の上下方向の風向が変更される。
【００２１】
なお、本実施形態においては、吸込みグリル１２の周囲に風向調整ルーバ１３を４つ設ける場合を例に挙げて説明するが、これに限定されず、室内機２に設けられる風向調整ルーバ１３は複数であればよい。
これにより、室内機２においては、室内ファンの回転により吸込みグリル１２を経て吸込まれた室内空気が室内熱交換器に流通され、室内熱交換器で冷媒と熱交換されて冷却または加熱された空気が、空気吹出し口１４を経て風向調整ルーバ１３により調整された方向に吹き出されるようになっている。
【００２２】
また、室内機２には、制御装置１５が設けられており、制御装置１５には、ワイヤード式のリモコン２０が接続されている。空気調和装置１は、リモコン２０を介して運転操作されるようになっている。
リモコン２０は、空気調和装置１を運転するための運転停止ボタンや運転モード選択ボタン、設定温度切換ボタン、風量切換ボタン、風向調整ルーバ１３の開閉状態を調整して風向を制御する風向切換ボタン等の各種運転操作ボタン等を有する表示設定画面２２を備える。なお、本実施形態においては、空気調和装置１を運転操作させるリモコンはワイヤード式であることを例に挙げて説明するが、これに限定されず、リモコンはワイヤレス式であってもよい。
【００２３】
また、本実施形態におけるリモコン２０は、表示部と操作部が一体となったタッチパネル式である例を挙げているが、これに限定されず、表示部と操作部とが別々になっているものであってもよい。
リモコン２０は、制御装置１５と適宜情報の送受信を行い、操作者によって操作されることにより入力された指令を制御装置１５に出力するとともに、制御装置１５から取得する情報を表示設定画面２２に表示する。
【００２４】
制御装置１５は、図２に示されるように、制御部（制御手段）３０と記憶部（記憶手段）３１とを備えている。
記憶部３１は、全ての風向調整ルーバ１３を閉状態にする前の各風向調整ルーバ１３の開閉状態（つまり、それぞれの空気吹出し口１４から吹き出される空気流の風向）の情報、及び風量、運転モード等の各種情報を記憶する。また、記憶部３１は、複数の風向調整ルーバ１３の開閉状態を設定する際の設定順序が記憶されている。
制御部３０は、室内機２の全ての風向調整ルーバ１３を閉状態にした後、リモコン２０から一の風向調整ルーバ１３の開閉状態を設定させ、設定完了後に一の風向調整ルーバ１３を設定された開閉状態に維持するよう制御し、かつ、一の風向調整ルーバ１３の設定完了後にリモコン２０から一の風向調整ルーバ１３以外の他の風向調整ルーバ１３の開閉状態を設定する。
【００２５】
具体的には、空気調和装置１が運転中において、制御部３０は、リモコン２０からルーバ毎風向設定の指令を取得すると、室内機２または空気調和装置１を停止させ、全ての風向調整ルーバ１３を全閉状態にさせるとともに、室内機２または空気調和装置１が停止前の各空気吹出し口１４の風向の情報を各風向調整ルーバ１３の開閉状態の情報として記憶部３１に記憶させる。制御部３０は、記憶部３１に記憶されている選択順序の第１の風向調整ルーバ１３ａを全開状態にし、第２から第４の風向調整ルーバ１３ｂ，１３ｃ，１３ｄを全閉状態にし、リモコン２０に第１の風向調整ルーバ１３ａの開閉状態（風向）を設定中であることを表示させる。
【００２６】
制御部３０は、リモコン２０から第１の風向調整ルーバ１３ａの開閉状態（つまり、第１の風向調整ルーバ１３ａに対応する空気吹出し口１４ａの風向）の設定指令を取得すると、取得した開閉状態の位置に第１の風向調整ルーバ１３ａを制御させる。このとき、第１の風向調整ルーバ１３ａの開閉状態の制御に併せて、第１の風向調整ルーバ１３ａに対応する空気吹出し口１４ａから空気流が吹き出されるように制御される。これにより、室内機２の空調対象領域の付近では、第１の風向調整ルーバ１３ａの開閉状態を調整することにより得られる空調感を体感できる。また、制御部３０は、リモコン２０から風向調整ルーバ１３の開閉状態の設定の確定を指示する決定指令を取得すると、先に取得した第１の風向調整ルーバ１３ａの開閉状態（つまり、風向の情報）を記憶部３１に第１の風向調整ルーバ１３ａの新たな開閉状態として記憶させるとともに、第１の風向調整ルーバ１３ａの開閉状態と空気吹出し口１４ａからの空気流の吹き出しを維持させる制御をする。
【００２７】
なお、制御部３０は、リモコン２０から風向調整ルーバ１３の開閉状態の設定指令を取得せずに決定指令を取得した場合には、当該風向調整ルーバ１３の開閉状態の新たな設定はスキップされたものとみなし、記憶部３１に記憶されている当該風向調整ルーバ１３の開閉状態の情報を読み出すとともに、読み出した情報に基づいて当該風向調整ルーバ１３の開閉状態を制御する。このとき、風向調整ルーバ１３の開閉状態の制御に併せて、この風向調整ルーバ１３に対応する空気吹出し口１４から空気流が吹き出されるように制御される。
このように、記憶部３１に記憶されている開閉状態の情報を用いて、現在設定中の風向調整ルーバ１３の開閉状態を制御することにより、速やかに次の風向調整ルーバ１３の開閉状態の設定に進むことができる。
【００２８】
こうして第１の風向調整ルーバ１３ａの風向設定がなされると、制御部３０は、第１の風向調整ルーバ１３ａの開閉状態と空気吹出し口１４ａからの空気流の吹き出しを維持したまま、続いて第２の風向調整ルーバ１３ｂを全開状態に制御し、リモコン２０に第２の風向調整ルーバ１３ｂの開閉状態（つまり、第２の風向調整ルーバ１３ｂに対応する空気吹出し口１４ｂから吹き出される空気流の風向）を設定中であることを表示させる。上記第１の風向調整ルーバ１３ａの開閉状態の設定と同様にして第２の風向調整ルーバ１３ｂの開閉状態を設定し、設定が確定されると、第１及び第２の風向調整ルーバ１３ａ，１３ｂの開閉状態と、第１及び第２の風向調整ルーバ１３ａ，１３ｂに対応するそれぞれの空気吹出し口１４ａ，１４ｂからの空気流を維持したまま、第３の風向調整ルーバ１３ｃの開閉状態の設定に遷移する。以降同様に、順に全ての風向調整ルーバ１３の開閉状態についても設定を行う。
このように、リモコン２０による操作と制御装置１５の制御によって、全ての風向調整ルーバ１３ａ〜１３ｄの開閉状態を順に設定する。
【００２９】
図３には、リモコン２０の表示設定画面２２の画面例を示している。図３（ａ）は、リモコン２０の通常表示を示している。図３（ａ）では、冷房、暖房、除湿等の運転モードを切り換える運転モード選択ボタン４０と、タイマー設定ボタン４１と、設定温度を表示する設定温度切換ボタン４２と、空気吹出し口１４からの空気流の風向を設定する風向切換ボタン４３と、風量を設定する風量切換ボタン４４と、その他各種設定等を行うメニューボタン４５等が設けられている。例えば、風向切換ボタン４３を押すと、図３（ｂ）の風向切換画面に遷移する。図３（ｂ）に示す風向切換画面では、室内機２に設けられる全ての風向調整ルーバ１３に対応する空気吹出し口１４からの空気流の風向を、例えば、第１方向（第１角度）から第４方向（第４角度）の４段階に、或いはオートスイングに、一括で設定できるようになっている。
【００３０】
また、図３（ｂ）の風向切換画面の右上のルーバ毎風向設定ボタン５０を押すと、風向調整ルーバ１３毎に開閉状態（風向）の調整ができるルーバ毎風向設定画面（図４）に遷移する。
図４には、ルーバ毎風向設定画面の一例が示されており、画面左には室内機２に取り付けられた天井パネル１１の風向調整ルーバ１３のイラストが示されており、現在設定中の風向調整ルーバ１３が識別可能に示されている。図４では、第１の風向調整ルーバ１３ａを設定中であることを示している。図４の画面中央には現在設定中の風向調整ルーバ１３に対して設定されている開閉状態（風向）が図示されており、現在設定中の風向が識別できるようになっている。図４では、第２方向の開閉状態（風向）が設定中であることを示している。
【００３１】
風向調整ルーバ１３の開閉状態（風向）は、画面右の数字ボタン５１（図４では、ボタン１〜６を意味する。）を選択することにより設定でき、数字ボタン５１と画面中央の開閉状態（風向）を示す領域５２が連動して表示される。本実施形態においては風向調整ルーバ１３が、水平状態（つまり、全閉状態）となる第１方向（第１角度）から、下向き状態となる第６方向（第６角度）まで６段階で開閉状態が調整できるようになっている。
また、画面右のオートスイングボタン５３を押すと、第１方向から第６方向の間を回動（スイング）させる設定となる。
このとき、室内機２は、第１の風向調整ルーバ１３のみの風向調整を行っているので、図７に示されるように、天井パネル１１の第１の風向調整ルーバ１３ａのみがリモコン２０からの操作に応じて開閉制御される。
【００３２】
第１の風向調整ルーバ１３ａの開閉状態（風向）の設定として、リモコン２０の数字ボタン５１が押されると開閉状態の設定指令が制御装置１５に出力され、制御装置１５は、室内機２の対応する第１の風向調整ルーバ１３ａの開閉状態の制御をする。さらに、リモコン２０の決定ボタン５４が押されると決定指令が制御装置１５に出力され、先に出力した設定指令である第１の風向調整ルーバ１３ａの開閉状態（風向）の情報が確定される。
【００３３】
第１の風向調整ルーバ１３ａの開閉状態が確定されると、制御装置１５からは次の風向調整ルーバ１３である第２の風向調整ルーバ１３ｂを設定中であることが通知される。リモコン２０は、第２の風向調整ルーバ１３ｂのルーバ毎風向設定画面（図５（ａ）参照）に遷移する。
このようにして、図５（ａ）の画面左に図示されるように、第１の風向調整ルーバ１３ａの開閉状態が設定済みであり、第２の風向調整ルーバ１３ｂが現在設定中の風向調整ルーバとして識別できる。
【００３４】
室内機２の天井パネル１１は、図８に示されるように、確定された第１の風向調整ルーバ１３ａの開閉状態が維持されており、第２の風向調整ルーバ１３ｂのみがリモコン２０からの操作に応じて開閉される状態となっている。
図５（ａ）の数字ボタン５１で選択された開閉状態（風向）は、現在設定中である第２の風向調整ルーバ１３ｂに対してのみ設定される。そのため、例えば第１の風向調整ルーバ１３ａは第２方向の風向とし、第２の風向調整ルーバ１３ｂは第４方向の風向とする、といった風向調整ルーバ１３毎に異なる風向を設定するこができる。
第２の風向調整ルーバ１３ｂの風向の設定を完了後（つまり、リモコン２０から設定指令を送信後）に決定ボタン５４を押すと、第２の風向調整ルーバ１３ｂの開閉状態（風向）の設定が確定され、次の風向調整ルーバ１３である第３の風向調整ルーバ１３ｃの風向設定に遷移し、順に全ての風向調整ルーバ１３の開閉状態（風向）設定を行う。
【００３５】
第４の風向調整ルーバ１３ｄの風向設定を行っている場合には、図９に示されるように、第１から第３の風向調整ルーバ１３ａ〜１３ｃの開閉状態は確定された風向で維持されつつ、第４の風向調整ルーバ１３ｄがリモコン２０からの操作に応じて開閉されている状態となっている。そして、第４の風向調整ルーバ１３ｄの風向設定が完了し、決定ボタン５４が押されると（図５（ｂ）参照）、図６（ａ）の画面に遷移する。このとき、天井パネル１１は図１０に示されるように、全ての風向調整ルーバ１３ａ〜１３ｄが、リモコン２０から設定した開閉状態に維持されている。
【００３６】
また、第１から第４の風向調整ルーバ１３ａ〜１３ｄがそれぞれ第２方向から第６方向のいずれかの開状態に設定されている場合には、図１０に示されるように、全ての風向調整ルーバ１３が開状態となっているので、リモコン２０の画面を確認するだけでなく、天井パネル１１を目視しても全ての風向調整ルーバ１３の開閉状態（風向）の設定が完了していることが簡便に識別できる。
【００３７】
図６（ａ）では、室内機２に設けられる全ての風向調整ルーバ１３の開閉状態（風向）の設定が完了したか否かの確認を操作者に促す画面例を示している。図６（ａ）では、各風向調整ルーバ１３に対し、それぞれ設定された開閉状態（風向）が領域５５に図示されている。操作者によって「はい」が押されると、図６（ｂ）に示されるように通常表示に遷移する。また、操作者によって「いいえ」が押されると、図４の第１の風向調整ルーバ１３ａのルーバ毎風向設定画面に遷移し、第１の風向調整ルーバ１３ａから順に全ての風向調整ルーバ１３の設定を繰り返し行うことができる。
【００３８】
以下に本実施形態に係る空気調和装置１の作用について図１から図１３を用いて説明する。
通常の運転時、空気調和装置１は、リモコン２０により運転停止ボタンをオンとして運転を開始させ、運転モード選択ボタン４０で冷房、除湿、暖房等の運転モードを切替え、設定温度切換ボタン４２および風量切換ボタン４４で室温設定値や風量等を任意に設定することにより、冷房、除湿または暖房等の運転がなされる。その結果、室外機３から所定の状態に調整された冷媒が室内機２の室内熱交換器に供給され、この冷媒と室内ファンで循環される室内空気とが熱交換されることによって、室内空気が冷却または加熱され、室内が設定された温度となるように温調される。また、空気調和装置１は、運転が停止される際には運転停止前の天井パネル１１の全ての風向調整ルーバ１３の開閉状態の情報や、風量、運転モード等の各種情報が記憶部３１に記憶される。
【００３９】
操作者により図３（ａ）の通常表示からリモコン２０の風向切換ボタン４３が押され、図３（ｂ）に遷移後にルーバ毎風向設定ボタン５０が押されると、リモコン２０から制御装置１５にルーバ毎風向設定の開始指令が送信され、ルーバ毎風向設定が開始される（図１２のステップＳＡ１）。空気調和装置１が運転中であるか否かが判定され（図１２のステップＳＡ２）、空気調和装置１が運転中である場合には室内機ユニット２が停止され、天井パネル１１の全ての風向調整ルーバ１３の現在の開閉状態の情報が記憶部３１に記憶されるとともに、天井パネル１１の全ての風向調整ルーバ１３は全閉状態にされる（図１２のステップＳＡ３）。
【００４０】
その後、室内機２の天井パネル１１の第１の風向調整ルーバ１３ａが全開状態に制御され、天井パネル１１の第２から第４の風向調整ルーバ１３ｂ〜１３ｄは全閉状態に制御され、リモコン２０では図４に示されるように第１の風向調整ルーバ１３ａが設定中であることが表示される（図１２のステップＳＡ４）。
図１２のステップＳＡ２において、空気調和装置１が運転中でない場合には、図１２のステップＳＡ４に移行し、天井パネル１１の第１の風向調整ルーバ１３ａが全開状態に制御され、第２から第４の風向調整ルーバ１３ｂ〜１３ｄは全閉状態に制御され、リモコン２０では第１の風向調整ルーバ１３ａが設定中であることが表示される。
【００４１】
操作者は、図４に示されるリモコン２０の数字ボタン５１によって第１の風向調整ルーバ１３ａの開閉状態を設定すると（例えば、第２方向を選択すると）、リモコン２０から制御装置１５に第１の風向調整ルーバ１３ａの開閉状態を設定（例えば、第２方向に設定）する設定指令が出力される。
【００４２】
制御装置１５において、第１の風向調整ルーバ１３ａの設定指令が取得されたか、または決定指令が取得されたかが判定され、設定指令が取得された場合には（図１２のステップＳＡ５の設定指令を取得）、取得した設定指令の開閉状態の方向（例えば、第２方向）に天井パネル１１の第１の風向調整ルーバ１３ａを移動させる。また、天井パネル１１の第２から第４の風向調整ルーバ１３ｂ〜１３ｄは全閉状態のままとし、リモコン２０には、図４に示されるように、第１の風向調整ルーバ１３ａを設定中であることが表示される（図１２のステップＳＡ６）。
【００４３】
操作者がリモコン２０において風向調整ルーバ１３の開閉状態の設定指令の後に図４の決定ボタン５４を押すと、リモコン２０から制御装置１５に決定指令が出力される。または、操作者がリモコン２０において風向調整ルーバ１３の開閉状態の設定をせずに（つまり、数字ボタン５１の選択をせずに）、図４の決定ボタン５４を押すこともでき、この場合にはリモコン２０から制御装置１５に設定指令が出力されずに決定指令が出力される。
【００４４】
制御装置１５においては、設定指令を取得後に決定指令が取得されたか否かが判定され、決定指令を取得した場合には（図１２のステップＳＡ７のＹｅｓ）、天井パネル１１の第１の風向調整ルーバ１３ａの位置が確定される。確定されると、天井パネル１１の第１の風向調整ルーバ１３の開閉状態が設定指令で設定された開閉状態に維持されつつ、第１の風向調整ルーバ１３の新たな開閉状態（風向）の情報が記憶部３１に記憶される（図１２のステップＳＡ８）。また、設定指令の取得後に決定指令が取得されない場合には（図１２のステップＳＡ７のＮｏ）、風向調整ルーバ１３の設定指令の取得を待機し、図１２のステップＳＡ６に戻る。
【００４５】
図１２のステップＳＡ５において、第１の風向調整ルーバ１３ａの設定指令を取得せず決定指令が取得された場合には（図１２のステップＳＡ５の決定指令の取得）、第１の風向調整ルーバ１３ａの開閉状態の設定がスキップされたこととみなし、記憶部３１に記憶されている第１の風向調整ルーバ１３ａの開閉状態の情報が読み出され、読み出された開閉状態の位置となるように天井パネル１１の第１の風向調整ルーバ１３ａが移動され、この位置で第１の風向調整ルーバ１３ａの開閉状態が維持される（図１２のステップＳＡ９）。
【００４６】
天井パネル１１の第１の風向調整ルーバ１３ａの開閉状態は維持されたまま、続いて第２の風向調整ルーバ１３ｂの開閉状態が全開状態にされ、第３及び第４の風向調整ルーバ１３ｃ、１３ｄは全閉状態とされる。リモコン２０には、図５（ａ）に示されるように、第２の風向調整ルーバ１３ｂが設定中である旨が表示される（図１３のステップＳＡ１０）。第１の風向調整ルーバ１３ａの開閉状態の設定と同様に第２風向調整ルーバ１３ｂ以降についても、開閉状態が設定される（ステップの図省略）。
【００４７】
第４の風向調整ルーバ１３ｄの開閉状態が、リモコン２０から開閉状態が設定されると、或いは、記憶部３１に記憶された開閉状態が読み出されることによって設定されると、第１から第４の全ての風向調整ルーバ１３ａ〜１３ｄの開閉状態の設定が完了しこととなり、天井パネル１１の風向調整ルーバ１３ａ〜１３ｄはそれぞれ設定した位置に維持されている（図９参照）。また、図６（ａ）に示されるようにリモコン２０では、各風向調整ルーバ１３の設定が領域５５に示された内容で良いかどうかの確認を促す画面が表示される（図１３のステップＳＡ１１）。
【００４８】
図６（ａ）の確認を促す画面で「はい」が押されたか否かが判定され、「いいえ」が押された場合には（図１３のステップＳＡ１２のＮｏ）、図１２のステップＳＡ４に戻り、第１の風向調整ルーバ１３ａの設定に戻る。図６（ａ）で「はい」が押された場合には（図１３のステップＳＡ１２のＹｅｓ）、ルーバ毎風向設定が開始されたときに空気調和装置１が運転中であったか否かが判定される。空気調和装置１が運転中であった場合には（図１３のステップＳＡ１３のＹｅｓ）、運転停止前の状態で空気調和装置１の運転が再開される（図１３のステップＳＡ１４）。このとき、天井パネル１１の風向調整ルーバ１３ａ〜１３ｄは設定した開閉状態に位置され、風向調整ルーバ１３の開閉状態以外の各種設定状態（例えば、風量、運転モード等）は室内機ユニット２の停止前における状態で運転が再開され、リモコン２０は、図６（ｂ）に示されるように通常表示に戻り（図１３のステップＳＡ１５）、本処理を終了する。
【００４９】
また、ルーバ毎風向設定が開始されたときに空気調和装置１が運転中でなかった場合には（図１３のステップＳＡ１３のＮｏ）、設定した全ての風向調整ルーバ１３の開閉状態を記憶部３１に記憶した後、天井パネル１１の全ての風向調整ルーバ１３を全閉状態にし（図１１参照）、リモコン２０を消灯させ（図１３のステップＳＡ１６）、本処理を終了する。
【００５０】
上述した実施形態に係る制御装置１５においては、上記処理の全て或いは一部を別途ソフトウェアを用いて処理する構成としてもよい。この場合、制御装置１５は、ＣＰＵ、ＲＡＭ等の主記憶装置、及び上記処理の全て或いは一部を実現させるためのプログラムが記録されたコンピュータ読み取り可能な記録媒体を備えている。そして、ＣＰＵが上記記憶媒体に記録されているプログラムを読み出して、情報の加工・演算処理を実行することにより、上述の制御装置５０と同様の処理を実現させる。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５１】
以上説明してきたように、本実施形態に係る室内機２及びそれを備えた空気調和装置１、室内機２の制御方法並びに制御プログラムによれば、室内機２の空気流が吹き出される空気吹出し口１４ａ〜１４ｄにそれぞれ設けられる第１から第４の風向調整ルーバ１３ａ〜１３ｄの全てが閉状態にされてから、一の風向調整ルーバ１３の開閉状態が設定され、設定完了後に一の風向調整ルーバ１３の開閉状態が維持されたまま、一の風向調整ルーバ１３以外の他の風向調整ルーバ１３の開閉状態が設定される。
このように、設定が完了した風向調整ルーバ１３は開閉状態が維持されたまま、順に次の風向調整ルーバ１３の開閉状態の設定がなされるので、室内機２の空調対象領域の空調状態が、実際の空調状態として得られ、所望の空調状態となるよう確認しながら風向調整ルーバ１３の開閉状態の調整ができる。また、室内機２に設けられる複数の風向調整ルーバ１３が全て開状態となっていることをリモコン操作者が目視することにより、全ての風向調整ルーバ１３の開閉状態の調整が完了していることを簡便に把握することができる。
【００５２】
また、リモコン２０から風向調整ルーバ１３の開閉状態を都度設定しない場合には、リモコン２０から設定指令を出力させずに決定指令を出力することによって、制御部３０は、記憶部３１に記憶されている開閉状態によって風向調整ルーバ１３を制御し、速やかに風向調整ルーバ１３の設定を完了することができる。
なお、上記実施形態においては、室内機２が運転中である場合に、空気調和装置１の室内機ユニット２を停止させてからルーバ毎風向設定を行うこととして説明していたが、これに限定されない。例えば、室内機ユニット２の運転が停止している状態で、ルーバ毎風向設定を行うこととしてもよい。
【００５３】
なお、本発明は上述した実施形態に限定されることはなく、その要旨を逸脱しない範囲内において適宜変更することができる。
【符号の説明】
【００５４】
１  空気調和装置
２  室内機
１３ａ、１３ｂ、１３ｃ、１３ｄ  風向調整ルーバ（風向板）
１４ａ、１４ｂ、１４ｃ、１４ｄ  空気吹出し口（吹出口）
１５  制御装置
２０  リモコン
３０  制御部（制御手段）
３１  記憶部（記憶手段）
【図１】
0006570916.tif 000002
【図２】
0006570916.tif 000003
【図３】
0006570916.tif 000004
【図４】
0006570916.tif 000005
【図５】
0006570916.tif 000006
【図６】
0006570916.tif 000007
【図７】
0006570916.tif 000008
【図８】
0006570916.tif 000009
【図９】
0006570916.tif 000010
【図１０】
0006570916.tif 000011
【図１１】
0006570916.tif 000012
【図１２】
0006570916.tif 000013
【図１３】
0006570916.tif 000014